(57)【要約】【課題】加湿水となる結露水を生成する機構を空気調和機の室外機に設けた場合でも、室外機が大型化することを抑える。【解決手段】空気調和機の室外機において、室外熱交換器５と、室外熱交換器５に対して外気を送風する室外送風機６と、外気中の水分を吸着する吸着体１０と、この吸着体１０に吸着した水分を離脱させることにより高温高湿空気を生成する高温高湿空気生成部９と、高温高湿空気が流れる風路１５内に配置されて高温高湿空気を凝縮することにより結露水を生成する凝縮用熱交換器７と、凝縮用熱交換器７で生成された結露水を室内に搬送する結露水搬送部８と、を備え、凝縮用熱交換器７が室外熱交換器５と水平方向の位置に対向して配置されている。【選択図】図１
2009156538.tif 000002
【特許請求の範囲】
【請求項１】
内部を冷媒が流れる室外熱交換器と、
前記室外熱交換器に対して外気を送風する室外送風機と、
外気中の水分を吸着する吸着体と、
水分を吸着した前記吸着体に高温の空気を送風して吸着した水分を離脱させることにより高温高湿空気を生成する高温高湿空気生成部と、
前記高温高湿空気が流れる風路内に配置され、前記高温高湿空気と外気との間で熱交換を行い、前記高温高湿空気を凝縮することにより結露水を生成する凝縮用熱交換器と、
前記凝縮用熱交換器で生成された結露水を室内に搬送する結露水搬送部と、
を備え、
前記凝縮用熱交換器が前記室外熱交換器と水平方向の位置に対向して配置されていることを特徴とする空気調和機の室外機。
【請求項２】
前記凝縮用熱交換器は、前記室外送風機による外気の送風方向に沿った前記室外熱交換器の下流側に配置されていることを特徴とする請求項１記載の空気調和機の室外機。
【請求項３】
前記凝縮用熱交換器は、前記室外送風機による外気の送風方向に沿った前記室外熱交換器の上流側に配置されていることを特徴とする請求項１記載の空気調和機の室外機。
【請求項４】
前記風路における前記吸着体からの前記高温高湿空気の出口側の下方に、前記凝縮用熱交換器における前記高温高湿空気の入口が位置していることを特徴とする請求項１ないし３のいずれか一に記載の空気調和機の室外機。
【請求項５】
前記凝縮用熱交換器は、前記高温高湿空気生成部で生成された前記高温高湿空気が下向きに通過する第１風路部と、前記第１風路部を通過した前記高温高湿空気が上向きに通過する第２風路部とを備えることを特徴とする請求項１ないし４のいずれか一に記載の空気調和機の室外機。
【請求項６】
前記室外送風機は、前記第２風路部側よりも前記第１風路部側に寄った位置に配置されていることを特徴とする請求項５記載の空気調和機の室外機。
【請求項７】
前記第２風路部の出口から流出した凝縮後の空気を前記高温高湿空気生成部に送風する再生用送風機が設けられ、この再生用送風機は前記第２風路部の出口の上方に配置されていることを特徴とする請求項５又は６に記載の空気調和機の室外機。
【請求項８】
前記凝縮用熱交換器を通過した凝縮後の空気を前記高温高湿空気生成部に送風する再生用送風機と、前記凝縮用熱交換器の下側に配置されてこの凝縮用熱交換器で生成された結露水を受けるドレン受け部と、下端が前記ドレン受け部の上方に開口するとともに上端が前記再生用送風機の入口側に接続されたダクトと、を備えることを特徴とする請求項１ないし４のいずれか一に記載の空気調和機の室外機。
【請求項９】
前記凝縮用熱交換器は、軸方向を上下方向に向けて配列されて内部を前記高温高湿空気が流れる複数の管路と、前記管路の軸方向と直交する略水平方向に設けられた冷却用フィンと、を備えることを特徴とする請求項１ないし８のいずれか一に記載の空気調和機の室外機。
【請求項１０】
前記凝縮用熱交換器の上部に、前記管路の軸方向と交差するとともに水平面に対して傾斜した端板が設けられ、前記端板の傾斜方向に沿った下側に位置する前記管路は、他の前記管路に比べて前記端板からの突出寸法が小さく設定されていることを特徴とする請求項９記載の空気調和機の室外機。
【発明の詳細な説明】
【技術分野】
【０００１】
本発明は、空気調和機の室外機に関し、特に、外気中に含まれる水分を利用して加湿用の結露水を生成する機構を備えた空気調和機の室外機に関する。
【背景技術】
【０００２】
冬季においては、外気温度が低下するとともに湿度が低下する傾向にあり、室外は乾燥化する。室内においてもその影響を受けるので、加湿して室内の湿度を上げることが理想である。室内の湿度を上げるためには、室内に専用の加湿器を設置して作動させればよいが、頻繁に加湿水（水道水）を補給する手間がかかり、面倒な作業が要求される。
【０００３】
そこで、加湿水を補給する手間がかからず、確実に室内を加湿できる装置が求められている。例えば、下記特許文献１や下記特許文献２には、この要望に応える加湿機能を備えた空気調和機が開示されている。これらの空気調和機の室外機は、外気中に含まれる水分を利用して結露水を生成する機構を有している。生成された結露水は、加湿水として室内に搬送され、室内で蒸発させて室内の湿度上昇が図られている。
【０００４】
具体的には、特許文献１の空気調和機は、室外ユニットに加湿水ユニットを追加し、加湿水ユニットの脱離部で高温高湿空気を生成し、この高温高湿空気を加湿水ユニットの結露部で冷却して結露水を生成する。結露部には、高温高湿空気と冷媒配管内を流れる冷媒との間で熱交換を行い、冷媒の気化熱で高温高湿空気を冷却することにより結露水を生成する結露用熱交換器が設けられている。生成された結露水は、室内を加湿するための加湿水として室内に搬送される。
【０００５】
特許文献２の空気調和機は、水分を吸着するための外気を導く第１空気通路と、水分を脱着するための外気を導く第２空気通路と、第２空気通路を流れる外気を昇温する熱交換器と、第１空気流路内の外気から水分を吸着し、熱交換器で昇温された外気で水分を脱着されるデシカントロータとを備え、上記熱交換器にはヒートポンプサイクルを循環する冷媒を導いている。さらに、この特許文献２の実施の形態２では、デシカントロータから水分を脱着した高温高湿空気を冷却し、高温高湿空気中に含まれる水分を凝縮して結露水を生成する冷却用熱交換器を備えている。生成された結露水は、室内を加湿するための加湿水として室内に搬送される。
【特許文献１】特開２００２−３１７９８１号公報
【特許文献２】特開２００６−３０８２４６号公報
【発明の開示】
【発明が解決しようとする課題】
【０００６】
特許文献１に記載された空気調和機の構成では、結露水（加湿水）を生成する手段である結露用熱交換器は、ヒートポンプ式冷凍サイクル回路に追設され、冷凍サイクル回路からの冷媒を導いて高温高湿空気と熱交換を行ない、冷媒の気化熱によって高温高湿空気を冷却している。
【０００７】
このため、機能的には満足するが、加湿水ユニット側に冷媒配管を配設する必要があり、室外ユニットの構造が複雑化し大型化する。すなわち、単に、室外ユニットに加湿水ユニットを搭載しただけでは足りず、冷凍サイクル回路を構成する冷媒配管の一部を切除し、切除した部分に、結露用熱交換器側に冷媒を送るバイパス冷媒配管を接続する必要があり、構造が複雑になる。
【０００８】
特許文献２の実施の形態２の構成では、冷却用熱交換器を備え、この冷却用熱交換器を用いて高温高湿空気を冷却して凝縮水（結露水と同義語）を生成する旨の記載がある。しかし、それ以上の詳細な説明はなく、公報中の図面（図３）には、冷却用熱交換器を構成する複数枚のフィンが上下方向を向けて記載され、これらのフィンの間に矢印で示す外気が水平方向に流通していることが記載されている。
【０００９】
上記冷却用熱交換器が、通常のフィンと熱交換パイプとからなる構造であるとすれば、高温高湿空気を導く熱交換パイプは水平方向に設けられることになる。したがって、水平な熱交換パイプ内を流通する途中で得られる凝縮水が、冷却用熱交換器の真下に配置されるドレンタンク内へどのように効率よく導かれるのか不明である。
【００１０】
また、従来の空気調和機の室外機に結露水（加湿水）を生成する機構を追加すると、充分な量の結露水を得るためには、高温高湿空気を凝縮して結露水を得るための機構部分を大きくする必要があり、空気調和機の室外機が大型になる。
【００１１】
本発明は、このような課題を解決するためになされたもので、その目的は、加湿水となる結露水を生成する機構を設けた場合でも、大型化することを抑えることができる空気調和機の室外機を提供することである。
【課題を解決するための手段】
【００１２】
本発明の実施の形態に係る第１の特徴は、空気調和機の室外機において、内部を冷媒が流れる室外熱交換器と、前記室外熱交換器に対して外気を送風する室外送風機と、外気中の水分を吸着する吸着体と、水分を吸着した前記吸着体に高温の空気を送風して吸着した水分を離脱させることにより高温高湿空気を生成する高温高湿空気生成部と、前記高温高湿空気が流れる風路内に配置され、前記高温高湿空気と外気との間で熱交換を行い、前記高温高湿空気を凝縮することにより結露水を生成する凝縮用熱交換器と、前記凝縮用熱交換器で生成された結露水を室内に搬送する結露水搬送部と、を備え、前記凝縮用熱交換器が前記室外熱交換器と水平方向の位置に対向して配置されている。
【発明の効果】
【００１３】
本発明によれば、加湿水となる結露水を生成する機構を空気調和機の室外機に設けた場合でも、室外機が大型化することを抑えることができる。
【発明を実施するための最良の形態】
【００１４】
以下、本発明の実施の形態を図面を用いて説明する。
【００１５】
（第１の実施の形態）
本発明の第１の実施の形態に係る空気調和機の室外機１を図１ないし図４を参照して説明する。室外機１は、室内に加湿水として供給する結露水を生成する結露水生成装置２を備えている。室外機１は、外周側を囲む筐体３を有し、筐体３内には水平向きに配置された仕切板４が設けられている。なお、この室外機１は室外に設置されるものである。
【００１６】
仕切板４の下側には、室外熱交換器５と、室外送風機６と、結露水生成装置２の一部を構成する凝縮用熱交換器７と、生成した結露水を室内に搬送するための結露水搬送部８と、圧縮機２５とが設けられている。
【００１７】
仕切板４の上側には、結露水生成装置２を構成する高温高湿空気生成部９が設けられている。なお、結露水生成装置２は、高温高湿空気生成部９と凝縮用熱交換器７などにより構成されている。また、高温高湿空気生成部９は、高温で高湿の空気（高温高湿空気）を生成する部分であり、高温高湿空気生成部９を構成する部材としては、吸着体である回転吸着体１０を中心線回りに回転させるモータ１１と、再生用送風機１２と、加熱手段１３とが含まれている。加熱手段１３としては、冷凍サイクルを構成する圧縮機の吐出側に直接接続された高温の補助熱交換器を用いているが、ヒータなどを使用してもよい。
【００１８】
さらに、結露水生成装置２は、両端が外気中に開口する吸着用通風路１４と、実質的に開口部のない閉ループを構成する風路である再生用通風路１５とを備えている。吸着用通風路１４は、外気を通過させる風路で、外気が回転吸着体１０の一部を通過するように構成され、この部分で回転吸着体１０に外気中の水分が吸着される。再生用通風路１５は、高温高湿空気生成部９により生成された高温高湿空気を凝縮用熱交換器７に導き、凝縮用熱交換器７を通過した凝縮後の空気が高温高湿空気生成部９側に戻るように構成されている。また、この再生用通風路１５には、仕切板４を上下方向に貫通する部分が設けられている。
【００１９】
室外熱交換器５は、室内に設置される室内機（図示せず）の室内熱交換器（図示せず）との間で冷媒配管（図示せず）を介して接続されており、室外熱交換器５に対して送風される外気と冷媒との間で吸熱（暖房時）又は放熱（冷房時）の熱交換が行なわれる。
【００２０】
室外送風機６は、室外熱交換器５と水平方向の位置に対向し、室外熱交換器５に対して外気を送風する。室外送風機６による送風が行なわれることにより、室外熱交換器５における熱交換が行なわれる。また、室外送風機６は、後述するように凝縮用熱交換器７に対しても外気を送風する。
【００２１】
回転吸着体１０は、例えば、直径が２０〜３０ｃｍ、厚みが２〜３ｃｍ程度の円盤状に形成され、３〜５ｒｐｍのゆっくりとした速度で回転駆動される。回転吸着体１０の回転中心は若干傾斜して上下方向に向けられており、仕切板４の上側に設置された場合の高さ寸法が抑えられている。
【００２２】
また、回転吸着体１０は、全体として厚みの薄い円盤形状で、一側面から他側面に亘って貫通する多数のハニカム状空気通路（図示せず）を備えており、これらのハニカム状空気通路の表面にはゼオライト等の吸湿材が均一な厚みで担持されている。この吸湿材は、低温環境で空気中の水分を効率よく吸着し、高温環境下で吸着した水分を速やかに離脱する特性のものが用いられる。
【００２３】
さらに、回転吸着体１０は、一部が吸着用通風路１４内に位置し、他の一部が再生用通風路１５内に位置するように配置されている。回転吸着体１０のハニカム状空気通路の形成方向と、吸着用通風路１４及び再生用通風路１５の通風方向とが一致している。そのため、時間の経過とともに回転吸着体１０が回転しても、回転速度が遅いので、吸着用通風路１４と再生用通風路１５とに空気（高温高湿空気、外気）がほとんど混合されることなく、それぞれの通風路を流れる空気は回転吸着体１０のハニカム状空気通路内を円滑に通風される。
【００２４】
高温高湿空気生成部９は、外気中に含まれる水分を利用して高温高湿空気を生成する部分であり、上述したように、筐体３内における仕切板４の上側に配置された複数の部材である、再生用送風機１２、加熱手段１３等により構成されている。高温高湿空気の生成は、以下の手順で行なわれる。なお、以下の説明において、一般的に室内の加湿は、冬季に行なわれるので、空気調和機の運転としては、暖房運転時で、低外気温状態を前提としている。
【００２５】
まず、吸着用通風路１４内に外気を通風し、通風される外気を回転吸着体１０における吸着用通風路１４内に位置する部分に当てる。低温の外気が回転吸着体１０に当たることにより、外気中の水分が回転吸着体１０の吸着材に吸着される。なお、吸着用通風路１４内に外気を通風させるための部材として、室外送風機６が用いられる。室外送風機６を駆動させることにより、外気が図１において矢印ａで示すように筐体３外より吸込まれ、吸着用通風路１４内の回転吸着体１０を通過し、筐体３の仕切板４より下側の部分へと出る。回転吸着体１０は中心線回りに回転駆動され、この回転に伴って回転吸着体１０における水分を吸着した部分が再生用通風路１５内に移動する。
【００２６】
再生用通風路１５内では、再生用送風機１２が駆動されることにより空気が送風され、この空気が加熱手段１３により加熱される。なお、加熱手段１３である補助熱交換器は、空気調和機の暖房運転によって圧縮機の吐出冷媒が流れ、高温となっている。加熱された空気が再生用通風路１５内に位置する回転吸着体１０に当たると、回転吸着体１０に吸着されていた水分が回転吸着体１０から離脱され、高温高湿空気が生成される。
【００２７】
回転吸着体１０における水分が離脱された部分は、回転吸着体１０の回転に伴って吸着用通風路１４内に移動し、再び水分が吸着される。
【００２８】
凝縮用熱交換器７は、図１に示すように高温高湿空気と外気との間で熱交換を行い、高温高湿空気を凝縮して結露水を生成する。凝縮用熱交換器７は、高温高湿空気が流れる再生用通風路１５内に配置されるとともに、室外熱交換器５と水平方向の位置に平行に対向し、及び、室外送風機６による外気の送風方向に沿った室外熱交換器５の下流側の位置である室外熱交換器５と室外送風機６との間に配置されている。また、凝縮用熱交換器７は、室外送風機６のモータ取付板１６にネジ１７で固定されている。
【００２９】
凝縮用熱交換器７は、軸方向を上下方向に向けて配列されて内部を高温高湿空気が流れる複数の管路１８と、管路１８の軸方向と直交する略水平方向に設けられて管路１８に接触させて固定された複数の冷却用フィン１９とを有している。
【００３０】
凝縮用熱交換器７の上部には、図４に示すように管路１８の軸方向と交差するとともに水平面に対して傾斜した端板２０が設けられている。端板２０は仕切板２１のある中央部が最も高く、両側側に行くに従って低くなるように傾斜している。全ての管路１８は端板２０を貫通して設けられており、これらの管路１８のうち、端板２０の傾斜方向に沿った最も下側（外側）に位置する管路１８ａは、他の管路１８に比べて端板２０からの突出寸法が小さく設定されている。
【００３１】
凝縮用熱交換器７に設けられた複数の管路１８のうちの約半分は、図２に示すように、高温高湿空気生成部９により生成された高温高湿空気が下向きに通過する第１風路部１８Ａを構成し、残りの約半分の管路１８は、第１風路部１８Ａを通過した高温高湿空気が上向きに通過する第２風路部１８Ｂを構成する。このため、高温高湿空気生成部９により生成された高温高湿空気は、図２及び図３の矢印Ａ、Ｂ、Ｃで示すように、第１風路部１８Ａの管路１８内を下向きに流れ、第１風路部１８Ａの管路１８内を通過した後に第２風路部１８Ｂ側へ流れ、第２風路部１８Ｂの管路１８内を上向きに流れる。第２風路部１８Ｂを通過した空気は、高温高湿空気生成部９側に戻る。なお、凝縮用熱交換器７の上部側における第１風路部１８Ａ側と第２風路部１８Ｂ側との間の仕切りは、凝縮用熱交換器７の上部に設けられた仕切板２１により行なわれている。
【００３２】
凝縮用熱交換器７と室外送風機６との位置関係は、図２に示すように、室外送風機６が、第２風路部１８Ｂ側よりも第１風路部１８Ａ側に寄った位置に配置されている。
【００３３】
再生用通風路１５の一部であって、回転吸着体１０を通過した高温高湿空気が流れる箇所の下方に、図１及び図２に示すように、凝縮用熱交換器７における高温高湿空気の入口７ａが位置している。
【００３４】
再生用送風機１２は、第２風路部１８Ｂの出口７ｂから流出した凝縮後の空気を吸込み、高温高湿空気生成部９の加熱手段１３の方向に送風する。この再生用送風機１２は、第２風路部１８Ｂの出口７ｂの上方に配置されている。
【００３５】
凝縮用熱交換器７で生成された結露水を室内機に搬送する結露水搬送部８は、凝縮用熱交換器７の下側に傾斜して配置されて結露水を受けるドレン受け部であるドレン皿２２と、このドレン皿２２の最も低い位置に設けられ、そこに溜まった結露水を送り出すポンプ２３と、ポンプ２３と室内機との間に配設された送水チューブ２４とを備えている。送水チューブ２４は、室外機１内においては、凝縮用熱交換器７の側面に沿って配設されている。
【００３６】
このような構成において、空気調和機を暖房運転中に室内を加湿する場合には、室外熱交換器５と室内熱交換器との間で冷媒を循環させ、及び、室外送風機６と再生用送風機１２と加熱手段１３とを駆動させ、さらに、回転吸着体１０を回転駆動させる。
【００３７】
そして、これらの室外送風機６と再生用送風機１２と加熱手段１３との駆動、及び、回転吸着体１０の回転に伴い、上述したように高温高湿空気生成部９により高温高湿空気が生成される。この高温高湿空気の生成に際し、吸着用通風路１４に外気を送風させるための部材として室外送風機６を用いるため、吸着用通風路１４に外気を送風するための送風機を新たに設ける必要がなく、コストを抑えることができる。
【００３８】
高温高湿空気生成部９により生成された高温高湿空気は、図２において矢印で示すように再生用通風路１５内を循環し、回転吸着体１０を通過した後に凝縮用熱交換器７内に流入する。この凝縮用熱交換器７に対しては、室外送風機６の駆動により外気が図１において矢印ｂ方向に流れ、この外気と凝縮用熱交換器７内を流れる高温高湿空気との間で熱交換が行なわれ、高温高湿空気が管路１８の内表面で凝縮されて結露水が生成される。結露水は、凝縮用熱交換器７を構成する管路１８の内表面に沿って流れ落ち、ドレン皿２２に溜まる。ドレン皿２２に溜まった結露水は、ポンプ２３の駆動により送水チューブ２４内を通って室内機に送水され、室内を加湿する加湿水として用いられる。
【００３９】
この室外機１においては、室内に加湿水として供給する結露水を生成する結露水生成装置２を、加湿機能を有しない従来の一般的な室外機に追加している。結露水生成装置２は高温高湿空気生成部９と凝縮用熱交換器７などにより構成されており、そのうちの凝縮用熱交換器７を、室外熱交換器５と平行に対向する位置であって室外熱交換器５と室外送風機６との間に設置している。このため、凝縮用熱交換器７を従来の一般的な室外機においてデッドスペースとなっていた領域に設置することができ、結露水生成装置２を追加した室外機１であっても大型化することを抑えることができる。また、室外熱交換器５は高さ寸法が大きい部材であるため、凝縮用熱交換器７の高さ寸法を充分に大きくすることが可能であり、凝縮用熱交換器７の高さ寸法を大きくすることにより凝縮用熱交換器７の熱交換面積を大きくし、充分な量の結露水を生成することができる。
【００４０】
凝縮用熱交換器７は、外気を用いて高温高湿空気との熱交換を行なう構造であるため、熱交換のために冷媒を利用する必要がなく、冷媒を凝縮用熱交換器７に導く冷媒配管の設置が不要となり、構造の簡単化を図ることができる。
【００４１】
凝縮用熱交換器７の設置位置は、室外送風機６による外気の送風方向に沿った室外熱交換器５の下流側の位置であり、室外送風機６の駆動により凝縮用熱交換器７に送風される外気は、室外熱交換器５を通過した後の外気である。このため、外気が室外熱交換器５を通過することにより室外熱交換器５における熱交換により冷却され、凝縮用熱交換器７において熱交換に用いられる外気の温度を下げることができ、凝縮用熱交換器７における熱交換効率を高めることができる。
【００４２】
さらに、凝縮用熱交換器７を熱交換して冷却するための送風機として、室外送風機６を用いているため、凝縮用熱交換器７に送風するための送風機を新たに設ける必要がなく、コストを抑えることができる。
【００４３】
凝縮用熱交換器７は、室外送風機６のモータ取付板１６にネジ１７で固定されている。このため、室外送風機６の駆動に伴う振動が凝縮用熱交換器７に伝わり、凝縮用熱交換器７の管路１８の内表面に付着している結露水をドレン皿２２に排水する機能を高めることができる。
【００４４】
凝縮用熱交換器７の複数の管路１８は、その約半分が高温高湿空気が下向きに通過する第１風路部１８Ａを構成し、残りの約半分が、第１風路部１８Ａを通過した高温高湿空気が上向きに通過する第２風路部１８Ｂを構成している。このため、第１風路部１８Ａを通過して凝縮された高温高湿空気に対して、この高温高湿空気が第２風路部１８Ｂを通過して高温高湿空気生成部９側に戻る際に再度凝縮することができ、高温高湿空気に対して凝縮を行なう面積を増やすことができ、凝縮用熱交換器７における凝縮性能を向上させ、結露水の生成量を増やすことができる。
【００４５】
この場合において、凝縮用熱交換器７と室外送風機６との位置関係が、図２に示すように、室外送風機６が、第２風路部１８Ｂ側よりも第１風路部１８Ａ側に寄っている。このため、室外送風機６に送風される外気の風量は、第１風路部１８Ａ側が多く、第２風路部１８Ｂ側が少なくなる。第１風路部１８Ａと第２風路部１８Ｂとを流れる高温高湿空気の温度を比較すると、第２風路部１８Ｂを流れる高温高湿空気は、第１風路部１８Ａにおいて冷却されており、第１風路部１８Ａを流れる高温高湿空気より温度が低い。このため、第２風路部１８Ｂ内で大量の外気を用いた過度の冷却が行なわれ、生成された結露水が管路１８内で凍結するという事態の発生を防止することができる。
【００４６】
再生用送風機１２は、第２風路部１８Ｂの出口７ｂの上方に配置されている。このため、再生用送風機１２において結露水が発生した場合、その結露水を凝縮用熱交換器７内を通してドレン皿２２に回収することができる。また、再生用送風機１２において発生した結露水が再生用通風路１５内に残留し、再生用通風路１５内の圧力損失を増大させるという事態の発生を防止することができる。
【００４７】
再生用通風路１５の一部であって、回転吸着体１０を通過した高温高湿空気が流れる箇所の下方に凝縮用熱交換器７における高温高湿空気の入口７ａが位置している。このため、回転吸着体１０を通過した直後に結露水が発生し、その結露水が再生用通風路１５における凝縮用熱交換器７の入口７ａの手前部分に付着した場合、その結露水を凝縮用熱交換器７内を通してドレン皿２２に回収することができる。また、回転吸着体１０を通過した直後に発生した結露水が再生用通風路１５内に残留し、再生用通風路１５内の圧力損失を増大させるという事態の発生を防止することができる。
【００４８】
凝縮用熱交換器７の上部に設けられた端板２０は、水平面に対して傾斜しており、端板２０の傾斜方向に沿った最も下側に位置する管路１８ａは、他の管路１８に比べて端板２０からの突出寸法が小さく設定されている。このため、結露水が端板２０の上に溜まった場合、その結露水を管路１８ａ内を通してドレン皿２２に回収することができ、凝縮用熱交換器７で発生した結露水を効率的よく回収することができる。
【００４９】
送水チューブ２４は、室外機１内において凝縮用熱交換器７に沿って配設されることにより、凝縮用熱交換器７内を流れる高温高湿空気の熱の影響を受けて送水される結露水の凍結が防止され、また、室外送風機６への接触が防止される。
【００５０】
なお、端板２０に溜まった結露水をドレン皿２２に回収するためには、端板２０における傾斜方向に沿った下側に、管路１８ａの直径より小さい直径の水抜き孔を形成してもよい。水抜き孔の直径を管路１８ａの直径より小さくすることにより、この水抜き孔を通過する高温高湿空気の量を少なくすることができる。
【００５１】
また、ドレン皿２２や送水チューブ２４を加熱するヒータを設けてもよい。このようなヒータを設けることにより、ドレン皿２２内や送水チューブ２４内における結露水の凍結を防止することができる。
【００５２】
（第２の実施の形態）
本発明の第２の実施の形態に係る空気調和機の室外機について、図５に基づいて説明する。なお、第２の実施の形態及びこれ以降の実施の形態において、第１の実施の形態において説明した構成要素と同じ構成要素には同じ符号を付け、重複する説明は省略する。
【００５３】
第２の実施の形態に係る室外機３０の基本的な構造は第１の実施の形態に係る室外機１と同じである。室外機３０と室外機１との異なる部分は、凝縮用熱交換器７の設置位置である。
【００５４】
凝縮用熱交換器７は、室外熱交換器５と水平方向の位置に対向して配置されるとともに、室外送風機６による外気の送風方向に沿った室外熱交換器５の上流側に配置されている。すなわち、凝縮用熱交換器７が室外熱交換器５の外側に配置されている。
【００５５】
このような構成において、空気調和機を暖房運転するとともに結露水生成装置２を駆動させて室内を加湿する場合には、室外熱交換器５と室内熱交換器との間で冷媒を循環させ、及び、室外送風機６と再生用送風機１２と加熱手段１３とを駆動させ、さらに、回転吸着体１０を回転駆動させる。
【００５６】
室外送風機６を駆動させることにより、外気が凝縮用熱交換器７と室外熱交換器５とに送風される。送風される外気は、最初に凝縮用熱交換器７において熱交換され、ついで、室外熱交換器５において熱交換される。このため、凝縮用熱交換器７を冷却する外気の温度が、室外熱交換器５における熱交換の影響で下がるという事態が発生せず、凝縮用熱交換器７を冷却する外気の温度が下がり過ぎて凝縮用熱交換器７内で結露水が凍結するということが防止される。このため、本実施の形態では、冬季に外気温が特に低温となる地域に対して好適である。
【００５７】
さらに、室外熱交換器５において熱交換に用いられる外気は、凝縮用熱交換器７における熱交換によって温度が上昇しており、室外熱交換器５での熱交換を効率よく行なうことができる。
【００５８】
また、本実施の形態では、凝縮用熱交換器７が筐体３の外側に取り付けられるため、仕切板４を凝縮用熱交換器７を貫通させる必要もなく、既存の室外機の上部に結露水生成装置２を載置、固定するだけで済むため、取り付けが容易となる。  （第３の実施の形態）
本発明の第３の実施の形態に係る空気調和機の室外機を図６に基づいて説明する。第２の実施の形態に係る室外機の基本的な構造は第１の実施の形態に係る室外機１と同じである。本実施の形態の室外機と室外機１との異なる部分は、結露水生成装置２における高温高湿空気が流れる風路である再生用通風路４１及び凝縮用熱交換器７が高温高湿空気が下向きに通過する風路のみからなる点である。
【００５９】
再生用通風路４１の一部は、下端がドレン皿２２の上方に開口し、上端が再生用送風機１２の入口側に接続され、上下方向向きに配管されたダクト４２により構成されている。ダクト４２は、仕切板４を貫通して配管されている。
【００６０】
このような構成において、高温高湿空気生成部９により生成された高温高湿空気は、凝縮用熱交換器７を上方から下方へ向けて通過し、凝縮用熱交換器７を通過した凝縮後の空気は、ダクト４２内を通って高温高湿空気生成部９側に戻り、再生用通風路４１内を循環する。
【００６１】
ダクト４２の上端は再生用送風機１２の入口側に接続されているため、再生用送風機１２において結露水が発生した場合、その結露水をダクト４２内を通してドレン皿２２に回収することができる。また、再生用送風機１２において発生した結露水が再生用通風路４１内に残留し、再生用通風路１５内の圧力損失を増大させるという事態の発生を防止することができる。
【００６２】
ダクト４２を形成する材料として可撓性を有する材料を用いることができ、可撓性を有するダクト４２を再生用通風路４１の一部として用いることにより、再生用送風機１２の設置場所の自由度を高めることができ、再生用送風機１２の取付位置の誤差を吸収することができる。
【図面の簡単な説明】
【００６３】
【図１】本発明の第１の実施の形態に係る空気調和機の室外機の概略を示す縦断側面図である。
【図２】その室外機の概略を示す縦断正面図である。
【図３】結露水生成装置を示す斜視図である。
【図４】凝縮用熱交換器を示す斜視図である。
【図５】本発明の第２の実施の形態に係る空気調和機の室外機の概略を示す縦断側面図である。
【図６】本発明の第３の実施の形態に係る空気調和機の室外機に設けられた結露水生成装置を示す斜視図である。
【符号の説明】
【００６４】
５…室外熱交換器、６…室外送風機、７…凝縮用熱交換器、７ａ…入口、７ｂ…出口、８…結露水搬送部、９…高温高湿空気生成部、１０…回転吸着体（吸着体）、１２…再生用送風機、１５…再生用通風路（風路）、１８…管路、１８Ａ…第１風路部、１８Ｂ…第２風路部、１９…冷却用フィン、２２…ドレン皿（ドレン受け部）、３０…室外機、４０…室外機、４１…再生用通風路、４２…ダクト
【図１】
2009156538.tif 000003
【図２】
2009156538.tif 000004
【図３】
2009156538.tif 000005
【図４】
2009156538.tif 000006
【図５】
2009156538.tif 000007
【図６】
2009156538.tif 000008